(57)【要約】【課題】ユーザーが操作を行わなくてもプレビュー表示する原稿の画像を拡大表示することによってユーザーの利便性を向上させる。【解決手段】画像形成装置は、操作表示部と、原稿を含む読取領域を読み取って画像データを生成する画像読取部と、原稿画像を含む読取領域の全部分の画像をプレビュー領域に表示するための基本表示データを生成する制御部と、を備え、制御部は、原稿のサイズが読取領域のサイズよりも閾値以上小さいと判断した場合、基本表示データに基づきプレビュー領域に表示される原稿画像よりも表示サイズが拡大された原稿画像をプレビュー領域に表示するための拡大表示データを生成するとともに、拡大表示データに基づくプレビュー表示を操作表示部に行わせる。【選択図】図４
2018037997.tif 000002
【特許請求の範囲】
【請求項１】
ユーザーから操作を受け付けるとともに、プレビュー領域を有する画面を表示する操作表示部と、
原稿を含む読取領域を読み取って前記読取領域の画像データを生成する画像読取部と、
前記画像読取部により生成された前記読取領域の画像データに基づき、前記原稿の原稿画像を含む前記読取領域の全部分の画像を前記プレビュー領域にプレビュー表示するための基本表示データを生成する制御部と、を備え、
前記制御部は、前記読取領域の画像データに基づき前記原稿のサイズを検知し、前記原稿のサイズが前記読取領域のサイズよりも予め定められた閾値以上小さいか否かの判断を行い、前記原稿のサイズが前記読取領域のサイズよりも前記閾値以上小さいと判断した場合、前記基本表示データに基づき前記プレビュー領域にプレビュー表示される前記原稿画像よりも表示サイズが拡大された前記原稿画像を前記プレビュー領域にプレビュー表示するための拡大表示データを生成するとともに、前記拡大表示データに基づくプレビュー表示を前記操作表示部に行わせることを特徴とする画像形成装置。
【請求項２】
前記操作表示部は、前記拡大表示データに基づくプレビュー表示を行っているとき、予め定められた縮小操作の受け付けを行い、
前記制御部は、前記操作表示部に対して前記縮小操作が行われたことを検知すると、前記基本表示データに基づくプレビュー表示を前記操作表示部に行わせることを特徴とする請求項１に記載の画像形成装置。
【請求項３】
前記制御部は、前記拡大表示データに基づくプレビュー表示の開始から所定時間が経過したとき、前記基本表示データに基づくプレビュー表示を前記操作表示部に行わせることを特徴とする請求項１または２に記載の画像形成装置。
【請求項４】
前記制御部は、前記読取領域の画像に前記原稿画像が複数含まれる場合、複数の前記原稿画像を含む前記読取領域の全部分の画像を前記プレビュー領域にプレビュー表示するためのデータを前記基本表示データとして生成し、当該生成した前記基本表示データに基づくプレビュー表示を前記操作表示部に行わせるとともに、前記複数の原稿画像のいずれかを指定する指定操作の受け付けを前記操作表示部に行わせ、
前記制御部は、前記操作表示部に対して前記指定操作が行われたことを検知すると、前記複数の原稿画像のうち前記指定操作により指定された原稿画像を対象画像に設定し、前記基本表示データに基づき前記プレビュー領域にプレビュー表示される前記対象画像よりも表示サイズが拡大された前記対象画像を前記プレビュー領域にプレビュー表示するためのデータを前記拡大表示データとして生成するとともに、当該生成した前記拡大表示データに基づくプレビュー表示を前記操作表示部に行わせることを特徴とする請求項１〜３のいずれか１項に記載の画像形成装置。
【請求項５】
前記操作表示部は、前記拡大表示データに基づくプレビュー表示を行っているとき、予め定められた切替操作の受け付けを行い、
前記制御部は、前記操作表示部に対して前記切替操作が行われたことを検知すると、前記複数の原稿画像うち拡大表示されていないいずれかの原稿画像を新たな前記対象画像に設定して前記拡大表示データを生成するとともに、当該生成した前記拡大表示データに基づくプレビュー表示を前記操作表示部に行わせることを特徴とする請求項４に記載の画像形成装置。
【請求項６】
前記読取領域の画像データを用いるジョブの実行時に前記原稿画像が配されたページを出力するジョブ実行部を備え、
前記制御部は、前記拡大表示データに基づくプレビュー表示を前記操作表示部に行わせているときに、前記ジョブの実行を指示する指示操作が前記操作表示部に対して行われたことを検知すると、前記拡大表示データに基づき前記プレビュー領域にプレビュー表示された前記原稿画像と前記プレビュー領域とのサイズ比を対象サイズ比として設定し、前記ページに配される前記原稿画像と前記ページとのサイズ比が前記対象サイズ比となるよう前記ジョブ実行部に前記ジョブを実行させることを特徴とする請求項１〜５のいずれか１項に記載の画像形成装置。
【発明の詳細な説明】
【技術分野】
【０００１】
本発明は、原稿の読み取りを伴うジョブの実行が可能な画像形成装置に関する。
【背景技術】
【０００２】
複合機のような画像形成装置には、原稿を読み取って原稿の画像データを生成する画像読取部が備えられる。画像読取部を備えた画像形成装置を使用する場合には、原稿の読み取りを伴うジョブ（たとえば、画像読取部が読み取った画像を印刷するコピージョブ）を実行することができる。
【０００３】
ここで、画像読取部を備えた画像形成装置には、画像読取部が読み取った画像を操作表示部にプレビュー表示する機能であるプレビュー機能を搭載したものがある。このような画像形成装置は、たとえば、特許文献１に開示されている。
【先行技術文献】
【特許文献】
【０００４】
【特許文献１】特開２００６−２３８１０６号公報
【発明の概要】
【発明が解決しようとする課題】
【０００５】
画像読取部を備えた画像形成装置は、原稿の読み取りを伴うジョブを実行するとき、画像読取部が読み取る読取領域のサイズ（以下、読取サイズと称する）の指定をユーザーから事前に受け付け、ジョブ実行時の読取サイズがユーザー指定の読取サイズとなるよう画像読取部に読み取りを行わせる。そして、画像形成装置は、プレビュー表示を行うとき、原稿の画像を含む読取領域の全部分の画像をプレビュー画像として表示する。
【０００６】
この構成において、ユーザー指定の読取サイズに対して読取対象の原稿サイズが小さかった場合（たとえば、身分証明書カードのようなカード原稿を読み取った場合）には、プレビュー表示されるプレビュー画像に存在する原稿の画像の表示サイズが小さくなる。したがって、原稿の画像の確認が困難になる。
【０００７】
たとえば、プレビュー表示される原稿の画像の表示サイズが小さかった場合（原稿の画像の確認が困難な場合）には、操作表示部に対して予め定められた拡大操作を行うことにより、原稿の画像を拡大表示することができる。しかし、ユーザーにとっては、拡大操作を行うのは煩わしく、利便性が悪い。
【０００８】
本発明は、上記課題を解決するためになされたものであり、プレビュー表示する原稿の画像の表示サイズが小さい場合、ユーザーが操作を行わなくても原稿の画像を拡大表示することによってユーザーの利便性を向上させることが可能な画像形成装置を提供することを目的とする。
【課題を解決するための手段】
【０００９】
上記目的を達成するため、本発明の画像形成装置は、ユーザーから操作を受け付けるとともに、プレビュー領域を有する画面を表示する操作表示部と、原稿を含む読取領域を読み取って読取領域の画像データを生成する画像読取部と、画像読取部により生成された読取領域の画像データに基づき、原稿の原稿画像を含む読取領域の全部分の画像をプレビュー領域にプレビュー表示するための基本表示データを生成する制御部と、を備える。そして、制御部は、読取領域の画像データに基づき原稿のサイズを検知し、原稿のサイズが読取領域のサイズよりも予め定められた閾値以上小さいか否かの判断を行い、原稿のサイズが読取領域のサイズよりも閾値以上小さいと判断した場合、基本表示データに基づきプレビュー領域にプレビュー表示される原稿画像よりも表示サイズが拡大された原稿画像をプレビュー領域にプレビュー表示するための拡大表示データを生成するとともに、拡大表示データに基づくプレビュー表示を操作表示部に行わせる。
【００１０】
本発明の構成では、プレビュー表示される原稿画像が小さい場合（原稿のサイズが読取領域のサイズよりも閾値以上小さい場合）、自動的に、プレビュー表示される原稿画像の表示サイズが拡大される。このため、プレビュー表示される原稿画像の表示サイズを拡大するための拡大操作をユーザーが行わなくてもよくなる。その結果、ユーザーの利便性が向上する。また、この構成では、原稿のサイズが読取領域のサイズよりも閾値以上小さい場合にのみ、プレビュー表示される原稿画像の表示サイズが拡大される。これにより、プレビュー表示される原稿画像の表示サイズが不必要に拡大されることはない。
【発明の効果】
【００１１】
本発明の構成では、プレビュー表示する原稿の画像の表示サイズが小さい場合、ユーザーが操作を行わなくても、原稿の画像が拡大表示されるので、ユーザーの利便性が向上する。
【図面の簡単な説明】
【００１２】
【図１】本発明の一実施形態による複合機の全体構成を示す図
【図２】本発明の一実施形態による複合機のハードウェア構成を示す図
【図３】本発明の一実施形態による複合機が表示するプレビュー画面を示す図
【図４】本発明の一実施形態による複合機が表示するプレビュー画面の遷移を示す図（表示移行条件が満たされたときに行う画面遷移を示す図）
【図５】本発明の一実施形態による複合機が表示するプレビュー画面の遷移を示す図（表示復帰条件が満たされたときに行う画面遷移を示す図）
【図６】本発明の一実施形態による複合機が表示するプレビュー画面の遷移を示す図（指定操作を検知したときに行う画面遷移を示す図）
【図７】本発明の一実施形態による複合機が表示するプレビュー画面の遷移を示す図（切替操作を検知したときに行う画面遷移を示す図）
【図８】本発明の一実施形態による複合機がプレビュー画面の表示中にジョブ実行の指示操作を受け付けたときに行う処理を示す図
【発明を実施するための形態】
【００１３】
＜複合機の構成＞
図１に示すように、本実施形態の複合機１００（「画像形成装置」に相当）は、印刷部１０を備える。なお、印刷部１０は「ジョブ実行部」に相当する。
【００１４】
印刷部１０は、用紙搬送路１０Ｐに沿って用紙Ｐを搬送する。また、印刷部１０は、印刷すべき画像に対応するトナー像を形成する。そして、印刷部１０は、搬送中の用紙Ｐにトナー像を印刷する。たとえば、印刷部１０は、用紙カセットに収容された用紙Ｐを用紙搬送路１０Ｐに給紙する給紙部１１、トナー像を形成して用紙Ｐに転写する画像形成部１２、および、用紙Ｐに転写されたトナー像を用紙Ｐに定着させる定着部１３などで構成される。
【００１５】
また、複合機１００は、画像読取部２０を備える。画像読取部２０は、ランプ２１やイメージセンサー２２などを含み、原稿Ｄを光学的に読み取る。ランプ２１やイメージセンサー２２などは、画像読取部２０の筐体（読取筐体）の内部に収容される。なお、読取筐体の上面には、読取対象の原稿Ｄが載置されるコンタクトガラスＧが設けられる。また、コンタクトガラスＧ上に載置された原稿Ｄの浮き上がりを抑制するため、原稿押さえ板２３が読取筐体の上面に対して開閉可能に取り付けられる。
【００１６】
原稿Ｄの読み取りを伴うジョブ（コピージョブなど）では、ユーザーによってコンタクトガラスＧ上に原稿Ｄが載置される。そして、画像読取部２０は、コンタクトガラスＧ上に載置された原稿Ｄを含む読取領域を読み取り、当該読み取った読取領域の画像データを生成する。
【００１７】
また、複合機１００は、操作パネル３０を備える。なお、操作パネル３０は「操作表示部」に相当する。
【００１８】
操作パネル３０は、タッチパネルディスプレイ３１を含む。タッチパネルディスプレイ３１は、ソフトウェアキーなどを配した画面を表示する。そして、タッチパネルディスプレイ３１は、後述する縮小操作や指定操作などをユーザーから受け付ける。また、操作パネル３０には、複数のハードウェアキー３２が設けられる。ハードウェアキー３２としては、ジョブの実行を指示する指示操作をユーザーから受け付けるためのスタートボタン３２Ｓなどがある。
【００１９】
また、複合機１００は、図２に示すように、制御部１１０、記憶部１２０および通信部１３０を備える。
【００２０】
制御部１１０は、印刷部１０に接続され、印刷部１０の印刷動作を制御する。また、制御部１１０は、画像読取部２０に接続され、画像読取部２０の読取動作を制御する。さらに、制御部１１０は、操作パネル３０に接続される。そして、制御部１１０は、タッチパネルディスプレイ３１の表示動作を制御したり、タッチパネルディスプレイ３１（ソフトウェアキー）に対するタッチ操作やハードウェアキー３２に対する押下操作を検知したりする。
【００２１】
制御部１１０は、ＣＰＵ１１１、メモリー１１２および画像処理モジュール１１３を含む。ＣＰＵ１１１は、制御用のプログラムおよびデータに基づき、複合機１００を制御するための処理を実行する。メモリー１１２は、ＣＰＵ１１１を動作させるための制御用のプログラムおよびデータを記憶する。
【００２２】
画像処理モジュール１１３は、画像処理用の回路やメモリーを含む。たとえば、原稿Ｄの読み取りを伴うジョブ（画像読取部２０が生成した読取領域の画像データを用いるジョブ）を実行する場合には、画像読取部２０により生成された読取領域の画像データがメモリー１１２に転送され一旦格納される。そして、実行ジョブがコピージョブである場合、画像処理モジュール１１３は、読取領域の画像データに対して画像処理を行うことによって、画像形成部１２で行われる露光処理（印刷すべき画像に対応する静電潜像を形成する処理）を制御するための露光用データを生成する。
【００２３】
また、画像処理モジュール１１３は、画像読取部２０が読み取った画像をプレビュー表示するための表示データ（後述する基本表示データや拡大表示データ）を生成する。たとえば、プレビュー表示用の表示データを生成するため、画像処理モジュール１１３には専用の回路が設けられる。
【００２４】
記憶部１２０は、ＲＯＭ（ＥＥＰＲＯＭなど）やＨＤＤなどの不揮発性の記憶デバイスを含む。制御部１１０は、記憶部１２０に接続され、記憶部１２０からのデータの読み出しを行うとともに、記憶部１２０へのデータの書き込みを行う。
【００２５】
通信部１３０は、通信回路やメモリー、通信用コネクターを含む。制御部１１０は、通信部１３０に接続され、通信部１３０を介して、外部機器２００と通信する。たとえば、複合機１００には、パーソナルコンピューターやファクシミリ装置などが通信可能に接続される。複合機１００に外部機器２００を通信可能に接続した場合には、複合機１００（画像読取部２０）が読み取った画像を含むデータを外部機器２００に送信する送信ジョブの実行が可能になる。
【００２６】
＜読取領域のサイズ設定＞
制御部１１０は、原稿Ｄの読み取りを伴うジョブ（画像読取部２０が生成した読取領域の画像データを用いるジョブ）の実行に際し、ジョブ実行条件を設定する条件設定の受け付けを操作パネル３０に行わせる。たとえば、操作パネル３０は、画像読取部２０が読み取る読取領域のサイズ（以下、読取サイズと称する場合がある）の設定を受け付ける。
【００２７】
読取サイズの設定をユーザーが行うとき、たとえば、複数のサイズ（Ａ４サイズやＢ５サイズなど）が選択肢として操作パネル３０に表示される。そして、操作パネル３０は、選択肢として表示した複数のサイズからユーザー指定のサイズを選択する選択操作を受け付ける。
【００２８】
制御部１１０は、操作パネル３０に対して選択操作が行われたことを検知すると、選択操作により選択されたサイズ（ユーザー指定のサイズ）を読取サイズとして設定する。また、実行ジョブがコピージョブである場合、制御部１１０は、選択操作により選択されたサイズをジョブで使用する用紙Ｐのサイズとして設定する。
【００２９】
そして、制御部１１０は、原稿Ｄの読み取りを伴うジョブを実行するとき、読取サイズがユーザー指定のサイズとなるよう画像読取部２０に読み取りを行わせる。その後、実行ジョブがコピージョブである場合、制御部１１０は、画像読取部２０が生成した読取領域の画像データに基づく印刷を印刷部１０に行わせる。このとき、印刷部１０は、選択操作によって選択されたサイズの用紙Ｐを搬送し、画像読取部２０が読み取った読取領域の画像（原稿Ｄの画像）を搬送中の用紙Ｐに印刷する。言い換えると、印刷部１０は、原稿Ｄの画像が配されたページ（用紙Ｐ）を出力する。
【００３０】
＜操作パネルによるプレビュー表示＞
複合機１００にはプレビュー機能が搭載されており、プレビュー機能のオンオフ設定をオンに設定することによってプレビュー機能の使用が可能となる。なお、プレビュー機能のオンオフを設定する操作の受け付けは操作パネル３０が行う。
【００３１】
たとえば、コピージョブにおいて、プレビュー機能のオンオフ設定がオフに設定された場合、制御部１１０は、画像読取部２０が読取領域の画像を読み取った後、続けて、印刷部１０に読取領域の画像を印刷させる。
【００３２】
一方で、コピージョブにおいて、プレビュー機能のオンオフ設定がオンに設定された場合、制御部１１０は、画像読取部２０が読取領域の画像を読み取った後、印刷部１０による印刷に先立って、画像読取部２０が読み取った読取領域の画像のプレビュー表示を操作パネル３０に行わせる。その後、制御部１１０は、操作パネル３０のスタートボタン３２Ｓに対する押下操作を検知すると、印刷部１０に読取領域の画像を印刷させる。
【００３３】
制御部１１０は、操作パネル３０にプレビュー表示を行わせるとき、図３に示すようなプレビュー画面３００（３１０）を操作パネル３０に表示させる。プレビュー画面３１０には、画像読取部２０が読み取った読取領域の画像をプレビュー表示するためのプレビュー領域３０１が設けられる。なお、プレビュー領域３０１の縦横比は読取領域（読取サイズ）の縦横比と同じである。たとえば、読取サイズをＡ４サイズに設定した場合には、プレビュー領域３０１の縦横比がＡ４サイズの縦横比となる。また、読取サイズをＢ５サイズに設定した場合には、プレビュー領域３０１の縦横比がＢ５サイズの縦横比となる。すなわち、プレビュー領域３０１の縦横比は読取サイズに応じて変化する。
【００３４】
また、制御部１１０は、操作パネル３０にプレビュー表示を行わせるとき、画像読取部２０により生成された読取領域の画像データに基づき、原稿Ｄの画像を含む読取領域の全部分の画像をプレビュー領域３０１にプレビュー表示するための基本表示データを生成する。なお、図３では、プレビュー領域３０１にプレビュー表示されたプレビュー画像のうち原稿Ｄの画像にハッチングを施す。以下の説明で参照する図４〜図８についても、プレビュー領域３０１にプレビュー表示される原稿Ｄの画像にハッチングを施す。
【００３５】
そして、制御部１１０は、基本表示データに基づくプレビュー表示を操作パネル３０に行わせる（原稿Ｄの画像を含む読取領域の全部分の画像がプレビュー領域３０１に表示される）。たとえば、読取サイズをＡ４サイズに設定し、Ａ４サイズよりも小さい原稿Ｄを読み取った場合には、図３に示すように、原稿Ｄの画像の表示サイズがプレビュー領域３０１の表示サイズよりも小さくなる。別の例として、読取サイズをＡ４サイズに設定し、Ａ４サイズの原稿Ｄを読み取った場合には、図示しないが、原稿Ｄの画像の表示サイズがプレビュー領域３０１の表示サイズと同じになる（プレビュー領域３０１の領域全体が原稿Ｄの画像となる）。
【００３６】
また、プレビュー画面３１０には、プレビュー領域３０１にプレビュー表示された原稿Ｄの画像の表示サイズを拡大する旨をユーザーから受け付けるための拡大ボタン３０２が配されるととともに、プレビュー領域３０１にプレビュー表示された原稿Ｄの画像の表示サイズを縮小する旨をユーザーから受け付けるための縮小ボタン３０３が配される。
【００３７】
なお、図４の上図に示すように、読取サイズに対して原稿Ｄのサイズが小さい場合（身分証明書カードのようなカード原稿Ｄを読み取る場合など）には、プレビュー領域３０１にプレビュー表示される原稿Ｄの画像の表示サイズが小さくなる。したがって、原稿Ｄの画像の確認が困難になり、ユーザーの利便性が低下する。たとえば、読取サイズに対して原稿Ｄのサイズが５０％以下であると、プレビュー領域３０１にプレビュー表示される原稿Ｄの画像の確認が困難になる。
【００３８】
そこで、制御部１１０は、画像読取部２０が読み取った読取領域のサイズを認識する。また、制御部１１０は、読取領域の画像データに基づき、画像読取部２０が読み取った原稿Ｄ（ユーザーがコンタクトガラスＧ上に載置した原稿Ｄ）のサイズを検知するための原稿サイズ検知を行う。原稿サイズ検知では、原稿Ｄの主走査方向および副走査方向の各長さの検知が行われる。
【００３９】
たとえば、制御部１１０は、エッジ検出処理などを行うことによって、読取領域の画像データからエッジを検出する。そして、制御部１１０は、エッジ検出処理により検出した検出エッジで囲まれた領域に対応する画像を原稿Ｄの画像と認識し、検出エッジで囲まれた領域のサイズを原稿Ｄのサイズとして検知する。
【００４０】
その後、制御部１１０は、原稿Ｄのサイズが読取サイズよりも予め定められた閾値以上小さいか否かの判断を行う。その結果、原稿Ｄのサイズが読取サイズよりも閾値以上小さい場合、制御部１１０は、拡大条件が満たされたとし、拡大処理を行う。たとえば、制御部１１０は、原稿Ｄのサイズが読取サイズよりも５０％以上小さい場合に、拡大条件が満たされたと判断する。すなわち、閾値は５０％である。
【００４１】
制御部１１０は、拡大処理として、基本表示データに基づきプレビュー領域３０１にプレビュー表示される原稿Ｄの画像よりも表示サイズが拡大された原稿Ｄの画像をプレビュー領域３０１にプレビュー表示するための拡大表示データを生成する。たとえば、制御部１１０は、拡大表示される原稿Ｄの画像の中心がプレビュー領域３０１の中心に配置されるよう拡大表示データを生成する。また、制御部１１０は、原稿Ｄの画像の表示サイズをプレビュー領域３０１の領域内に収まるサイズに拡大する。そして、拡大表示データを生成した後、制御部１１０は、拡大表示データに基づくプレビュー表示を操作パネル３０に行わせる。
【００４２】
このとき、原稿Ｄの画像の表示サイズがプレビュー領域３０１の領域内に収まる最大のサイズに拡大されてもよい。あるいは、プレビュー領域３０１の表示サイズに対する原稿Ｄの画像の表示サイズの比率が所定範囲内の値となるよう原稿Ｄの画像の表示サイズが拡大されてもよい。また、原稿Ｄの画像の表示サイズがプレビュー領域３０１の表示サイズよりも所定％（たとえば、数％〜数十％）小さいサイズに拡大されてもよい。
【００４３】
操作パネル３０は、拡大表示データに基づくプレビュー表示を行うとき、図４の下図に示すようなプレビュー画面３００（３２０）を表示する。プレビュー画面３２０には、プレビュー画面３１０と同様、プレビュー領域３０１と共に、拡大ボタン３０２および縮小ボタン３０３が配される。そして、操作パネル３０は、プレビュー画面３２０のプレビュー領域３０１に原稿Ｄの画像を拡大して表示する。なお、プレビュー画面３２０には、戻るボタン３０４が追加配置される。
【００４４】
たとえば、拡大表示データに基づくプレビュー表示は、基本表示データに基づくプレビュー表示の後に行われる。すなわち、図４に示すように、制御部１１０は、画像読取部２０が読取領域の画像を読み取った後、原稿Ｄのサイズが読取サイズよりも閾値以上小さいか否かにかかわらず、まず、基本表示データに基づくプレビュー表示を操作パネル３０に行わせる（操作パネル３０にプレビュー画面３１０の表示を行わせる）。
【００４５】
その後、制御部１１０は、予め定められた表示移行条件が満たされたか否かの判断を行い、表示移行条件が満たされたと判断したとき、拡大表示データに基づくプレビュー表示を操作パネル３０に行わせる（操作パネル３０にプレビュー画面３２０の表示を行わせる）。すなわち、操作パネル３０は、基本表示データに基づくプレビュー表示から拡大表示データに基づくプレビュー表示に移行する。表示移行条件が満たされていないと制御部１１０が判断した場合、操作パネル３０は、基本表示データに基づくプレビュー表示を続行する（拡大表示データに基づくプレビュー表示は行われない）。
【００４６】
なお、制御部１１０は、基本表示データに基づくプレビュー表示の開始から第１時間（所定時間）が経過したとき、表示移行条件が満たされたと判断して、拡大表示データに基づくプレビュー表示を操作パネル３０に開始させる。たとえば、第１時間は数秒（たとえば、２秒）である。
【００４７】
また、制御部１１０は、操作パネル３０がプレビュー画面３２０の表示（拡大表示データに基づくプレビュー表示）を行っているとき、予め定められた表示復帰条件が満たされたか否かの判断を行う。
【００４８】
そして、図５に示すように、表示復帰条件が満たされたと判断したとき、制御部１１０は、基本表示データに基づくプレビュー表示を操作パネル３０に行わせる（操作パネル３０にプレビュー画面３１０の表示を行わせる）。すなわち、操作パネル３０は、拡大表示データに基づくプレビュー表示から基本表示データに基づくプレビュー表示に移行する。表示復帰条件が満たされていないと制御部１１０が判断した場合、操作パネル３０は、拡大表示データに基づくプレビュー表示を続行する（基本表示データに基づくプレビュー表示は行われない）。
【００４９】
たとえば、制御部１１０は、操作パネル３０が拡大表示データに基づくプレビュー表示を行っているとき、予め定められた縮小操作の受け付けを操作パネル３０に行わせる。このとき、操作パネル３０は、プレビュー画面３２０の戻るボタン３０４に対するタッチ操作を縮小操作として受け付ける。
【００５０】
そして、制御部１１０は、操作パネル３０に対して縮小操作が行われたことを検知したとき、表示復帰条件が満たされたと判断する。あるいは、拡大表示データに基づくプレビュー表示の開始から第２時間が経過したとき、表示移行条件が満たされたと制御部１１０が判断してもよい。特に限定されないが、第２時間は第１時間以上（たとえば、数秒〜数十秒）である。
【００５１】
なお、場合によっては、複数の原稿ＤがコンタクトガラスＧ上に載置された状態で、画像読取部２０による原稿Ｄの読み取りが行われる。すなわち、画像読取部２０による読み取りによって得られた読取領域の画像に原稿Ｄの画像が複数含まれる場合がある。
【００５２】
この場合、図６の上図に示すように、制御部１１０は、複数の原稿Ｄの画像を含む読取領域の全部分の画像をプレビュー領域３０１にプレビュー表示するためのデータを基本表示データとして生成するとともに、当該生成した基本表示データに基づくプレビュー表示を操作パネル３０に行わせる（プレビュー画面３１０の表示を操作パネル３０に行わせる）。すなわち、複数の原稿Ｄの画像がプレビュー画面３１０のプレビュー領域３０１にプレビュー表示される。
【００５３】
また、制御部１１０は、複数の原稿Ｄの画像のいずれかを指定する指定操作の受け付けを操作パネル３０に行わせる。たとえば、操作パネル３０は、プレビュー領域３０１にプレビュー表示された複数の原稿Ｄの画像の表示領域のいずれかをタッチするタッチ操作を指定操作として受け付ける。すなわち、プレビュー領域３０１にプレビュー表示された複数の原稿Ｄの画像のうち表示領域をタッチした原稿Ｄの画像がユーザー指定の原稿Ｄの画像となる。図６には、一例として、符号「１」を付した原稿Ｄの画像が指定された場合を図示する。
【００５４】
制御部１１０は、操作パネル３０に対して指定操作が行われたことを検知すると、プレビュー表示された複数の原稿Ｄの画像のうち指定操作により指定された画像を対象画像に設定する。そして、制御部１１０は、基本表示データに基づきプレビュー領域３０１にプレビュー表示される対象画像よりも表示サイズが拡大された対象画像をプレビュー領域３０１にプレビュー表示するためのデータを拡大表示データとして生成し、当該生成した拡大表示データに基づくプレビュー表示を操作パネル３０に行わせる。
【００５５】
このとき、操作パネル３０は、図６の下図に示すようなプレビュー画面３００（３３０）を表示する。プレビュー画面３３０には、プレビュー画面３２０と同様、プレビュー領域３０１と共に、拡大ボタン３０２、縮小ボタン３０３および戻るボタン３０４が設けられる。そして、操作パネル３０は、プレビュー画面３３０のプレビュー領域３０１に対象画像を拡大して表示する。なお、プレビュー画面３３０には、次ボタン３０５が追加配置される。
【００５６】
制御部１１０は、操作パネル３０がプレビュー画面３３０の表示（拡大表示データに基づくプレビュー表示）を行っているとき、予め定められた切替操作の受け付けを操作パネル３０に行わせる。このとき、操作パネル３０は、プレビュー画面３３０の次ボタン３０５に対するタッチ操作を切替操作として受け付ける。
【００５７】
そして、図７に示すように、制御部１１０は、操作パネル３０に対して切替操作が行われたことを検知したとき、複数の原稿Ｄの画像のうち拡大表示されていないいずれかの画像を新たな対象画像に設定する。そして、制御部１１０は、新たに設定した対象画像を拡大表示するためのデータを拡大表示データとして生成し、当該生成した拡大表示データに基づくプレビュー表示を操作パネル３０に行わせる。図７に示す例では、図６に示した複数の原稿Ｄの画像のうち符号「１」が付された画像が既に拡大表示されているので、次にプレビュー領域３０１に拡大表示されるのは符号「２」が付された画像となる（当該画像が対象画像に設定される）。
【００５８】
ここで、図８に示すように、制御部１１０は、操作パネル３０が拡大表示データに基づくプレビュー表示を行っているとき（操作パネル３０がプレビュー画面３２０またはプレビュー画面３３０の表示を行っているとき）、操作パネル３０のスタートボタン３２Ｓに対する押下操作（ジョブの実行を指示する指示操作）を検知すると、拡大表示データに基づきプレビュー領域３０１にプレビュー表示された原稿Ｄの画像とプレビュー領域３０１とのサイズ比を対象サイズ比に設定する。そして、制御部１１０は、出力ページに配される原稿Ｄの画像と出力ページとのサイズ比が対象サイズ比となるよう印刷部１０にジョブを実行させる。たとえば、実行ジョブがコピージョブである場合、印刷部１０は、ジョブで使用する用紙Ｐに印刷される原稿Ｄの画像とジョブで使用する用紙Ｐのサイズとのサイズ比が対象サイズ比となるよう原稿Ｄの画像に対応するトナー像を形成し、当該トナー像を用紙Ｐに印刷する。
【００５９】
本実施形態の複合機１００（画像形成装置）は、上記のように、ユーザーから操作を受け付けるとともに、プレビュー領域３０１を有するプレビュー画面３００（画面）を表示する操作パネル３０（操作表示部）と、原稿Ｄを含む読取領域を読み取って読取領域の画像データを生成する画像読取部２０と、画像読取部２０により生成された読取領域の画像データに基づき、原稿Ｄの画像を含む読取領域の全部分の画像をプレビュー領域３０１にプレビュー表示するための基本表示データを生成する制御部１１０（画像処理モジュール１１３を含む）と、を備える。そして、制御部１１０は、読取領域の画像データに基づき原稿Ｄのサイズを検知し、原稿Ｄのサイズが読取領域のサイズよりも予め定められた閾値以上小さいか否かの判断を行い、原稿Ｄのサイズが読取領域のサイズよりも閾値以上小さいと判断した場合、基本表示データに基づきプレビュー領域３０１にプレビュー表示される原稿Ｄの画像よりも表示サイズが拡大された原稿Ｄの画像をプレビュー領域３０１にプレビュー表示するための拡大表示データを生成するとともに、拡大表示データに基づくプレビュー表示を操作パネル３０に行わせる。
【００６０】
本実施形態の構成では、プレビュー表示される原稿Ｄの画像が小さい場合（原稿Ｄのサイズが読取領域のサイズよりも閾値以上小さい場合）、自動的に、プレビュー表示される原稿Ｄの画像の表示サイズが拡大される。このため、プレビュー表示される原稿Ｄの画像の表示サイズを拡大するための拡大操作をユーザーが行わなくてもよくなる。その結果、ユーザーの利便性が向上する。また、この構成では、原稿Ｄのサイズが読取領域のサイズよりも閾値以上小さい場合にのみ、プレビュー表示される原稿Ｄの画像の表示サイズが拡大される。これにより、プレビュー表示される原稿Ｄの画像の表示サイズが不必要に拡大されることはない。
【００６１】
また、本実施形態では、上記のように、操作パネル３０は、拡大表示データに基づくプレビュー表示を行っているとき、予め定められた縮小操作（戻るボタン３０４に対するタッチ操作）の受け付けを行う。そして、制御部１１０は、操作パネル３０に対して縮小操作が行われたことを検知すると、基本表示データに基づくプレビュー表示を操作パネル３０に行わせる。これにより、操作パネル３０に対して縮小操作を１回行うだけで簡単に、プレビュー表示される原稿Ｄの画像の表示サイズを元の表示サイズ（拡大前の表示サイズ）に戻すことができるので、操作性が良い。
【００６２】
また、本実施形態では、上記のように、制御部１１０は、拡大表示データに基づくプレビュー表示の開始から所定時間が経過したとき、基本表示データに基づくプレビュー表示を操作パネル３０に行わせる。これにより、操作パネル３０に対してユーザーが操作を行わなくても、プレビュー表示される原稿Ｄの画像の表示サイズが元の表示サイズ（拡大前の表示サイズ）に戻るので、ユーザーの利便性が向上する。
【００６３】
また、本実施形態では、上記のように、制御部１１０は、読取領域の画像に原稿Ｄの画像が複数含まれる場合、複数の原稿Ｄの画像を含む読取領域の全部分の画像をプレビュー領域３０１にプレビュー表示するためのデータを基本表示データとして生成し、当該生成した基本表示データに基づくプレビュー表示を操作パネル３０に行わせるとともに、複数の原稿Ｄの画像のいずれかを指定する指定操作（複数の原稿Ｄの画像の表示領域のいずれかに対するタッチ操作）の受け付けを操作パネル３０に行わせる。
【００６４】
そして、制御部１１０は、操作パネル３０に対して指定操作が行われたことを検知すると、複数の原稿Ｄの画像のうち指定操作により指定された原稿Ｄの画像を対象画像に設定し、基本表示データに基づきプレビュー領域３０１にプレビュー表示される対象画像よりも表示サイズが拡大された対象画像をプレビュー領域３０１にプレビュー表示するためのデータを拡大表示データとして生成するとともに、当該生成した拡大表示データに基づくプレビュー表示を操作パネル３０に行わせる。これにより、画像読取部２０が読み取った読取領域の画像に原稿Ｄの画像が複数含まれる場合であっても、複数の原稿Ｄの画像のうちユーザーが選択した画像だけを拡大表示することができるので、ユーザーの利便性が向上する。
【００６５】
また、本実施形態では、上記のように、操作パネル３０は、拡大表示データに基づくプレビュー表示を行っているとき、予め定められた切替操作（次ボタン３０５に対するタッチ操作）の受け付けを行う。そして、制御部１１０は、操作パネル３０に対して切替操作が行われたことを検知すると、複数の原稿Ｄの画像うち拡大表示されていないいずれかの画像を新たな対象画像に設定して拡大表示データを生成するとともに、当該生成した拡大表示データに基づくプレビュー表示を操作パネル３０に行わせる。これにより、画像読取部２０が読み取った読取領域の画像に原稿Ｄの画像が複数含まれる場合であっても、操作パネル３０に対して切替操作を行うだけで簡単に、原稿Ｄの画像を１つずつ拡大表示させることができるので、ユーザーの利便性が向上する。
【００６６】
また、本実施形態では、上記のように、制御部１１０は、拡大表示データに基づくプレビュー表示を操作パネル３０に行わせているときに、ジョブの実行を指示する指示操作（スタートボタン３２Ｓに対する押下操作）が操作パネル３０に対して行われたことを検知すると、拡大表示データに基づきプレビュー領域３０１にプレビュー表示された原稿Ｄの画像とプレビュー領域３０１とのサイズ比を対象サイズ比として設定し、印刷部１０が出力するページに配される原稿Ｄの画像と当該ページとのサイズ比が対象サイズ比となるよう印刷部１０にジョブを実行させる。これにより、操作パネル３０が拡大表示データに基づくプレビュー表示を行っているときにスタートボタン３２Ｓを押下するだけで簡単に、用紙Ｐに印刷される原稿Ｄの画像を拡大することができるので、ユーザーの利便性が向上する。
【００６７】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【００６８】
たとえば、上記実施形態では、読取領域の画像データを用いるジョブがコピージョブである場合について説明したが、読取領域の画像データを用いるジョブが送信ジョブである場合にも適用可能である。なお、送信ジョブでは、画像読取部２０が読み取った画像を含むデータ（当該画像を配したページのページデータ）の外部機器２００への送信が通信部１３０によって行われる。したがって、この場合には、通信部１３０が「ジョブ実行部」に相当する。
【符号の説明】
【００６９】
１０  印刷部（ジョブ実行部）
２０  画像読取部
３０  操作パネル（操作表示部）
１００  複合機（画像形成装置）
１１０  制御部
【図１】
2018037997.tif 000003
【図２】
2018037997.tif 000004
【図３】
2018037997.tif 000005
【図４】
2018037997.tif 000006
【図５】
2018037997.tif 000007
【図６】
2018037997.tif 000008
【図７】
2018037997.tif 000009
【図８】
2018037997.tif 000010